(57)【要約】【課題】大型化を抑制し、分岐線とカバーとの干渉を防止することができるプロテクタを提供する。【解決手段】複数の電線３からなる幹線５を収容する幹線収容部７と、この幹線収容部７と一体に設けられ幹線５から分岐する複数の分岐線９を収容する分岐線収容部１１と、少なくとも分岐線収容部１１の開口側に係止部１３を介して組付けられるカバー１５とを備えたプロテクタ１において、幹線収容部７と分岐線収容部１１との間に、幹線収容部７から所定の間隔を隔てて配置され分岐線９をカバー１５から離れる方向に変形させる変形部１７を設けた。【選択図】図１
2018050386.tif 000002
【特許請求の範囲】
【請求項１】
複数の電線からなる幹線を収容する幹線収容部と、この幹線収容部と一体に設けられ前記幹線から分岐する複数の分岐線を収容する分岐線収容部と、少なくとも前記分岐線収容部の開口側に係止部を介して組付けられるカバーとを備えたプロテクタであって、
前記幹線収容部と前記分岐線収容部との間には、前記幹線収容部から所定の間隔を隔てて配置され前記分岐線を前記カバーから離れる方向に変形させる変形部が設けられていることを特徴とするプロテクタ。
【請求項２】
請求項１記載のプロテクタであって、
複数の前記分岐線は、前記変形部と前記分岐線収容部とに前記カバーの幅方向に並列に配置されていることを特徴とするプロテクタ。
【発明の詳細な説明】
【技術分野】
【０００１】
本発明は、プロテクタに関する。詳細には、複数の電線からなる幹線とこの幹線から分岐する分岐線とを収容するプロテクタに関する。
【背景技術】
【０００２】
従来、プロテクタとしては、複数の電線からなる幹線を収容する幹線収容部と、この幹線収容部と一体に設けられ幹線から分岐する複数の分岐線を収容する分岐線収容部と、少なくとも分岐線収容部の開口側に係止部を介して組付けられるカバーとを備えたものが知られている（例えば、特許文献１参照）。
【０００３】
このプロテクタでは、カバーの分岐線収容部側に、分岐線を分岐線収容部内に押圧する可撓部が設けられ、カバーを分岐線収容部の開口側に組付けることにより、可撓部で分岐線を押圧し、分岐線の分岐線収容部からの浮き上がりを防止している。
【先行技術文献】
【特許文献】
【０００４】
【特許文献１】特開２０１２−１０５４９５号公報
【発明の概要】
【発明が解決しようとする課題】
【０００５】
しかしながら、上記特許文献１のようなプロテクタでは、可撓部の近傍では分岐線の分岐線収容部からの浮き上がりを防止することができるが、幹線から分岐した分岐線の幹線側では幹線からの屈曲によって複数の分岐線が交差するように重なるなどして分岐線収容部から浮き上がっていた。
【０００６】
このような分岐線の浮き上がりが生じると、分岐線収容部の開口側に組付けられたカバーと分岐線とが干渉し、係止部の係止が不十分であった場合に、カバーが外れてしまう恐れがあった。
【０００７】
このような分岐線とカバーとの干渉を防止するために、分岐線収容部の高さを高く設定し、分岐線収容部の開口側に組付けられるカバーを分岐線から遠ざけることが考えられるが、プロテクタが大型化してしまう。
【０００８】
そこで、この発明は、大型化を抑制し、分岐線とカバーとの干渉を防止することができるプロテクタの提供を目的としている。
【課題を解決するための手段】
【０００９】
請求項１記載の発明は、複数の電線からなる幹線を収容する幹線収容部と、この幹線収容部と一体に設けられ前記幹線から分岐する複数の分岐線を収容する分岐線収容部と、少なくとも前記分岐線収容部の開口側に係止部を介して組付けられるカバーとを備えたプロテクタであって、前記幹線収容部と前記分岐線収容部との間には、前記幹線収容部から所定の間隔を隔てて配置され前記分岐線を前記カバーから離れる方向に変形させる変形部が設けられていることを特徴とする。
【００１０】
このプロテクタでは、幹線収容部と分岐線収容部との間に、幹線収容部から所定の間隔を隔てて配置され分岐線をカバーから離れる方向に変形させる変形部が設けられているので、分岐線収容部の高さを高くしなくとも、分岐線が変形部によってカバーから離れる方向に変形され、分岐線とカバーとの干渉を防止することができる。
【００１１】
従って、このようなプロテクタでは、大型化を抑制し、分岐線とカバーとの干渉を防止することができる。
【００１２】
請求項２記載の発明は、請求項１記載のプロテクタであって、複数の前記分岐線は、前記変形部と前記分岐線収容部とに前記カバーの幅方向に並列に配置されていることを特徴とする。
【００１３】
このプロテクタでは、複数の分岐線が、変形部と分岐線収容部とにカバーの幅方向に並列に配置されているので、分岐線収容部の高さを低減することができ、さらに大型化を抑制することができる。
【発明の効果】
【００１４】
本発明によれば、大型化を抑制し、分岐線とカバーとの干渉を防止することができるプロテクタを提供することができるという効果を奏する。
【図面の簡単な説明】
【００１５】
【図１】本発明の実施の形態に係るプロテクタの斜視図である。
【図２】本発明の実施の形態に係るプロテクタの断面図である。
【図３】本発明の実施の形態に係るプロテクタの電線を収容する前の斜視図である。
【図４】本発明の実施の形態に係るプロテクタの幹線収容部と分岐線収容部との側面図である。
【図５】本発明の実施の形態に係るプロテクタのカバーの側面図である。
【発明を実施するための形態】
【００１６】
図１〜図５を用いて本発明の実施の形態に係るプロテクタについて説明する。
【００１７】
本実施の形態に係るプロテクタ１は、複数の電線３からなる幹線５を収容する幹線収容部７と、この幹線収容部７と一体に設けられ幹線５から分岐する複数の分岐線９を収容する分岐線収容部１１と、少なくとも分岐線収容部１１の開口側に係止部１３を介して組付けられるカバー１５とを備えている。
【００１８】
そして、幹線収容部７と分岐線収容部１１との間には、幹線収容部７から所定の間隔を隔てて配置され分岐線９をカバー１５から離れる方向に変形させる変形部１７が設けられている。
【００１９】
また、複数の分岐線９は、変形部１７と分岐線収容部１１とにカバー１５の幅方向に並列に配置されている。
【００２０】
図１〜図５に示すように、幹線５は、複数の電線３からなり、複数の電線３は、例えば、電源と機器との間、或いは機器間を電気的に接続している。
【００２１】
この幹線５は、複数の電線３うち何本かの複数の電線３が分岐されて複数の分岐線９となり、複数の分岐線９が、例えば、機器などに電気的に接続される。
【００２２】
このような幹線５と分岐線９とは、プロテクタ１の幹線収容部７と分岐線収容部１１とに収容されている。
【００２３】
幹線収容部７は、合成樹脂などの絶縁性材料からなり、中央部が幹線５を収容可能にＵ字状に形成された幹線主収容部１９となっている。
【００２４】
この幹線主収容部１９には、幹線５と幹線５から分岐する複数の分岐線９とが収容され、幹線５と複数の分岐線９の幹線５側とを保護する。
【００２５】
このような幹線主収容部１９の長さ方向の両側には、幹線主収容部１９の底壁と連続する一部材で幹線５の長さ方向に幹線固定部２１，２１がそれぞれ延設されている。
【００２６】
この幹線固定部２１，２１には、それぞれ幹線５を束ねるテープや結束バンドなどからなる結束部材２３，２３が幹線５と共に固定され、幹線主収容部１９に収容された幹線５を幹線収容部７に固定させる。
【００２７】
このような幹線収容部７には、幹線主収容部１９の開口側から幹線５が幹線主収容部１９に収容され、幹線固定部２１，２１と共に幹線５が結束部材２３，２３によって固定されることにより、幹線５が幹線収容部７に保持される。
【００２８】
なお、幹線収容部７には、車両のパネルなどに形成された孔部に固定されるクリップ２５が突設され、このクリップ２５を介してプロテクタ１が車両に固定される。
【００２９】
分岐線収容部１１は、幹線主収容部１９の一方の側壁から連続する一部材で外方、すなわち幹線５の長さ方向と直交する方向に向けて延設され、幹線収容部７側が幹線主収容部１９と連通して幹線５から分岐する複数の分岐線９を収容可能にＵ字状に形成された分岐線主収容部２７となっている。
【００３０】
この分岐線主収容部２７には、幹線５から分岐する複数の分岐線９が収容され、複数の分岐線９を保護する。
【００３１】
なお、幹線５から分岐する分岐線９は、幹線５の長さ方向の一側から分岐されるだけでなく、幹線５の長さ方向の他側からも分岐され、幹線５の長さ方向の両側から分岐された複数の分岐線９が分岐線主収容部２７に収容される。
【００３２】
このような分岐線主収容部２７の幹線収容部７と反対側、すなわち分岐線９の引出側には、分岐線主収容部２７の底壁と連続する一部材で分岐線９の長さ方向に分岐線固定部２９が延設されている。
【００３３】
この分岐線固定部２９には、複数の分岐線９を束ねるテープや結束バンドなどからなる結束部材３１が複数の分岐線９と共に固定され、分岐線主収容部２７に収容された複数の分岐線９を分岐線収容部１１に固定させる。
【００３４】
このような分岐線収容部１１には、幹線主収容部１９に収容された幹線５から分岐する複数の分岐線９が分岐線主収容部２７に収容され、分岐線固定部２９と共に複数の分岐線９が結束部材３１によって固定されることにより、複数の分岐線９が分岐線収容部１１に保持される。
【００３５】
このように複数の分岐線９を収容する分岐線収容部１１の分岐線主収容部２７の開口側には、カバー１５が組付けられ、分岐線主収容部２７の開口が閉塞される。
【００３６】
カバー１５は、分岐線主収容部２７の開口を閉塞可能なように薄板状に形成され、分岐線収容部１１との間に設けられた係止部１３を介して分岐線主収容部２７の開口側に組付けられる。
【００３７】
この係止部１３は、分岐線収容部１１の幅方向の両側に位置する両側壁にそれぞれ枠状に設けられた被ロック部３３と、カバー１５の幅方向の両側で被ロック部３３と対応する位置にそれぞれ撓み可能な突起状に設けられたロック部３５とからなる。
【００３８】
このような係止部１３は、分岐線収容部１１とカバー１５とに複数（ここでは４箇所）設けられ、分岐線主収容部２７の開口を閉塞するようにカバー１５を組付けることにより、被ロック部３３にロック部３５が係止され、カバー１５を分岐線収容部１１に固定させる。
【００３９】
このように分岐線収容部１１の開口側にカバー１５を組付けることにより、幹線５から分岐する複数の分岐線９を保護することができると共に、分岐線収容部１１の開口側に向けて浮き上がる分岐線９の浮き上がりを防止することができる。
【００４０】
ところで、カバー１５は、分岐線収容部１１の開口側に向けた分岐線９の浮き上がりを防止してるが、係止部１３の係止が不十分であった場合、複数の分岐線９の重なりの増加や浮き上がり力の増加などによって、複数の分岐線９とカバー１５とが干渉し、カバー１５が外れてしまう恐れがあった。
【００４１】
この複数の分岐線９の重なりの増加や浮き上がり力の増加などに対応するために、分岐線収容部１１の高さを高く設定し、カバー１５と分岐線９との干渉を抑制することが考えられるが、プロテクタ１が大型化してしまい、プロテクタ１の配置スペースに制限を与える恐れがあった。
【００４２】
そこで、幹線収容部７と分岐線収容部１１との間には、分岐線９をカバー１５から離れる方向に変形させる変形部１７が設けられている。
【００４３】
変形部１７は、幹線主収容部１９の底壁と分岐線主収容部２７の底壁との間を連結するように連続する一部材で形成された連結部３７に設けられている。
【００４４】
この変形部１７は、連結部３７において、幹線収容部７から所定の間隔を隔てて配置され、分岐線主収容部２７の分岐線９の引出側の底壁を、分岐線主収容部２７の幹線収容部７側の開口から離れるように傾斜させている。
【００４５】
このような変形部１７は、幹線５から分岐する複数の分岐線９と当接し、変形部１７から分岐線主収容部２７の底壁に沿って複数の分岐線９を配置させることにより、複数の分岐線９を分岐線収容部１１の開口から離れるように変形させる。
【００４６】
このように変形部１７によって複数の分岐線９を分岐線収容部１１の開口から離れるように変形させことにより、複数の分岐線９とカバー１５とが干渉することがなく、分岐線収容部１１の高さを低減することができる。
【００４７】
加えて、変形部１７は、幹線収容部７から所定の間隔を隔てて配置されているので、分岐線９の反発力が大きい分岐線９の幹線５側と当接して無理に分岐線９を変形させることがなく、分岐線９の反発力を低減しながら変形させ、大きな反発力による複数の分岐線９とカバー１５との干渉を防止することができる。
【００４８】
ここで、変形部１７は、連結部３７の長さ方向において、２箇所設けられ、分岐線９の引出側に配置された変形部１７は、分岐線主収容部２７の分岐線９の引出側の底壁を、分岐線主収容部２７の幹線収容部７側の開口から離れるようにさらに傾斜させている。
【００４９】
このように変形部１７を複数設けることにより、複数の分岐線９をより緩やかに変形させることができ、複数の分岐線９の反発力をより低減しながら変形させることができる。
【００５０】
加えて、複数の変形部１７のうち分岐線９の引出側に配置された変形部１７の傾斜を大きくしても、複数の分岐線９の反発力が低減されているので、複数の分岐線９を無理なくカバー１５から離れるように大きく変形させることができる。
【００５１】
ここで、複数の分岐線９は、変形部１７と分岐線収容部１１とにカバー１５の幅方向に並列に配置されている。
【００５２】
詳細には、複数の分岐線９の変形部１７以降の引出側は、変形部１７と分岐線主収容部２７の底壁とに、カバー１５の幅方向に並列に配置されている。
【００５３】
このように複数の分岐線９を変形部１７と分岐線収容部１１とに配置することにより、分岐線収容部１１内で、複数の分岐線９が重なり合うことがなく、分岐線収容部１１の高さを低減することができる。
【００５４】
このようなプロテクタ１では、幹線収容部７と分岐線収容部１１との間に、幹線収容部７から所定の間隔を隔てて配置され分岐線９をカバー１５から離れる方向に変形させる変形部１７が設けられているので、分岐線収容部１１の高さを高くしなくとも、分岐線９が変形部１７によってカバー１５から離れる方向に変形され、分岐線９とカバー１５との干渉を防止することができる。
【００５５】
従って、このようなプロテクタ１では、大型化を抑制し、分岐線９とカバー１５との干渉を防止することができる。
【００５６】
また、複数の分岐線９は、変形部１７と分岐線収容部１１とにカバー１５の幅方向に並列に配置されているので、分岐線収容部１１の高さを低減することができ、さらに大型化を抑制することができる。
【００５７】
なお、本発明の実施の形態に係るプロテクタでは、カバーが分岐線収容部の開口を閉塞するように組付けられているが、これに限らず、カバーを幹線収容部と分岐線収容部との開口を閉塞するように組付けてもよい。
【００５８】
また、変形部は、幹線収容部と分岐線収容部との間に２箇所設けられているが、これに限らず、幹線収容部と分岐線収容部との間に変形部を１箇所、或いは３箇所以上設けてもよい。
【符号の説明】
【００５９】
１…プロテクタ
３…電線
５…幹線
７…幹線収容部
９…分岐線
１１…分岐線収容部
１３…係止部
１５…カバー
１７…変形部
【図１】
2018050386.tif 000003
【図２】
2018050386.tif 000004
【図３】
2018050386.tif 000005
【図４】
2018050386.tif 000006
【図５】
2018050386.tif 000007